(57)【要約】【課題】外部光が光学系に入射するのを確実に遮断でき、明室での使用が可能で操作性の良い眼科装置を提供する。【解決手段】あご台７並びに額当てを取り付けた支持枠６ａの上部に、固定カバー１０が固定される。その固定カバー１０に、下方に閉じた第１の位置と上方に開いた第２の位置に回動可能な可動カバー１１が取り付けられる。可動カバー１１を第１の位置に回動させれば、前方カバー部１１ｄにより被検者の前方部が覆われ、前方部からの外部光が光学系に入射するのを遮断することができる。また、検者は、必要に応じて可動カバー１１を第２の位置に回動させて前方カバー部１１ｄを被検者の前方部から移動させる。この状態では、検者は固定カバー１０の切り欠け部１０ｄを介して被検者の眼部を、観察することができ、眼科装置を明室で使用しても、遮光状態を確保して信頼性のある眼科測定を行うことができる。【選択図】図２
2007082732.tif 000002
【特許請求の範囲】
【請求項１】
周囲からの外部光が光学系に入射するのを遮断する遮光カバーを備えた眼科装置であって、該眼科装置は被検者と光学系の位置合わせを行うために装置の設置された位置に対して相対移動が可能である移動部と、それ以外の固定部から構成され、前記遮光カバーが前記固定部に装着されていることを特徴とする眼科装置。
【請求項２】
前記遮光カバーは、あご台並びに額当てを取り付けた支持枠の上部に装着されていることを特徴とする請求項１に記載の眼科装置。
【請求項３】
前記遮光カバーの装着を検者が任意に行えるような脱着機構が設けられていることを特徴とする請求項２又は３に記載の眼科装置。
【請求項４】
前記遮光カバーに、被検者の頭部を覆う一枚ずつ使用可能な暗幕が取り付けられることを特徴とする請求項１〜３のいずれか１項に記載の眼科装置。
【請求項５】
前記遮光カバーが、眼科装置に装着される装着箇所を含む固定カバーと、該固定カバーに対して第１と第２の位置に移動可能な可動カバーから構成され、前記可動カバーを動かすことにより遮光状態を変化させることができることを特徴とする請求項１〜５のいずれか１項に記載の眼科装置。
【請求項６】
前記可動カバーが、第１の位置から第２の位置に移動したときは、第１の位置で被検者前方部を覆っていたカバー部が被検者から移動して、検者が被検者を目視することができることを特徴とする請求項５に記載の眼科装置。
【発明の詳細な説明】
【技術分野】
【０００１】
本発明は、眼科装置に関し、更に詳細には、周囲からの外部光が光学系に入射するのを遮断する遮光カバーを備えた眼科装置に関するものである。
【背景技術】
【０００２】
眼科装置は外部光を受光するものが多いので、明室で使用すると外乱光が測定や撮影のノイズとなる。そこで、それを防止するために、暗室で使用する、或いは下記の特許文献１に記載されたように、部分的に暗室を作って使用することが考えられる。しかしながら、この方法では、検者が暗闇の中で眼科装置を操作しなければならないので、操作しにくいという問題がある。
【０００３】
この問題を解消するために、特許文献２に記載されたように、被検者のみ覆う暗幕を掛けられるようにした眼科装置の構成が提案されている。しかしながら、この構成では、検者は、被検者を直接見ることができないため、被検者の状態が判らず、不安感を覚え、その点から操作性が悪くなるという問題がある。また暗幕の布が直接に被検者の頭部などに触れるため、衛生面でも問題がある。
【０００４】
また特許文献３には、被検者の右眼のみ遮光する状態、左眼のみ遮光する状態、或いは両眼ともに遮光しない状態に切り換えられるように動作可能な遮光板を備えた眼科装置の構成が記載されている。しかし、この構成では、散瞳状態をよくする程度にしか遮光されないので、微弱光で測定を行うような眼科装置、例えば特許文献４などに記載された前房内蛋白濃度を測定する眼科装置の場合には遮光が不十分である。
【特許文献１】実開昭５７−６０６０３号公報
【特許文献２】特開２００２−２０９８５６号公報
【特許文献３】特開２００５−６８７０号公報
【特許文献４】特開平３−２６４０４４号公報
【発明の開示】
【発明が解決しようとする課題】
【０００５】
本発明は、以上のような事情に鑑みてなされたものであり、その課題は、簡単な構成で外部光が周囲から光学系に入射するのを確実に遮断することができ、明室で使用して信頼性ある眼科測定が可能で操作性の良い眼科装置を提供することにある。
【課題を解決するための手段】
【０００６】
上記の課題を解決するため、本発明の眼科装置は、周囲からの外部光が光学系に入射するのを遮断する遮光カバーを備えた眼科装置であって、該眼科装置は被検者と光学系の位置合わせを行うために装置の設置された位置に対して相対移動が可能である移動部と、それ以外の固定部から構成され、前記遮光カバーが前記固定部に装着されていることを特徴とする。
【発明の効果】
【０００７】
本発明の眼科装置によれば、装置の固定部に遮光カバーを装着するという簡単で安価に実施できる構成により、周囲からの外部光が光学系に入射するのを確実に遮断することができ、明室で使用して信頼性ある眼科測定を行え、操作性が向上するという優れた効果が得られる。
【発明を実施するための最良の形態】
【０００８】
以下、添付した図を参照して本発明の実施例を説明する。本発明の眼科装置は、例えば、レーザー光を被検眼に照射し、前房内に集光して走査し、前房内の細胞からの散乱光を解析して所定の眼科測定を行う眼科測定装置（フレアメータ）として構成される。
【実施例１】
【０００９】
図１〜図４は、周囲からの外部光が光学系に入射するのを遮断する遮光カバーに関わる構造と動作を説明するものである。図１及び図３は遮光カバーを構成する可動カバーを閉じた状態を示す斜視図及び側面図であり、図２及び図４は可動カバーを開いた状態を示す斜視図及び側面図である。
【００１０】
これらの図において、１は眼科装置のベースであり、２は眼科装置の不図示の光学系や電気回路の構成を内蔵した光学系本体部である。光学系本体部２は、光学系本体部２の前面側（検者側）に設けられた操作レバー（ジョイスティック）３を操作することによってベース１上で前後左右に移動可能、すなわち眼科装置の設置された位置に対して相対移動が可能な移動部となっており、その移動によって被検者と光学系の位置合わせを行えるようになっている。光学系本体部２の前面には、眼科装置を操作するための各種の操作ボタン４や各種の表示を行なうモニター５などが設けられる。
【００１１】
また、眼科装置の固定部を構成するベース１の背面側（被検者側）には、ベース１と共に装置の固定部を構成する支持部材６が固定されており、その支持部材６の上部には、矩形の枠の形をした支持枠６ａが形成される。そして、支持枠６ａの下端にはあご台７が取り付けられ、上端には額当て８が取り付けられる。被検者は、あご台７にあごを載せ、額を額当て８に当てて着座し、眼科測定が行なわれる。
【００１２】
支持枠６ａの上部には、固定カバー１０が止めネジ９を介して着脱可能に装着されて固定される。固定カバー１０は、これに可動に取り付けられた可動カバー１１と共に遮光カバー１２を構成する。固定カバー１０の左右の側部１０ａ、１０ｂは、支持枠６ａの左右両側に張り出していて、支持枠６ａの中央部まで下方に延びており、主に左右の側方からの外部光を遮光する。また、固定カバー１０の上部１０ｃは、その被検者側が、額当て８の形状に対応して円弧状に湾曲しており、主に上部からの外部光を遮光する。また、固定カバー１０の後部には、切り欠け部１０ｄ（図２）が形成されており、また、固定カバーの前部は開放しているので、可動カバー１１が上部に回動した場合には、検者は、この切り欠け部１０ｄを介して額当て８に額を当てあご台７にあごを当てて座る被検者の眼部を視認（観察）することができる。
【００１３】
また、固定カバー１０には、図２に示すように、軸受部１０ｅ、１０ｆが設けられ、可動カバー１１に設けられた軸１１ｅを軸受けする。これにより、可動カバー１１は軸１１ｅを回動中心として上下に回動可能となっており、図１及び図３に示す下方に閉じた第１の位置と、図２及び図４に示す上方に開いた第２の位置に回動可能となっている。
【００１４】
なお、可動カバー１１は、不図示の係止構造あるいは摩擦などによって、第１と第２の位置に係止され、一定以上の力を加えることで係止が外れて第１から第２の位置あるいは第２から第１の位置に回動させることができるようにするのが好ましい。
【００１５】
また、可動カバー１１は、横幅が固定カバー１０より僅かに大きく、図１及び図３に示す第１の位置にある状態では、可動カバー１１の左右の両側部１１ａ、１１ｂが、固定カバー１０の左右の両側部１０ａ、１０ｂに重なるように配置させる。可動カバー１１の両側部１１ａ、１１ｂにより側方からの外部光が遮光され、可動カバーの上部１１ｃにより上部からの外部光が遮光される。また、可動カバー１１の前方カバー部１１ｄは、上部１１ｃに対して少し傾斜していて、第１の位置にあるときは、光学系本体部２の上部に近接する。従って、可動カバー１１が第１の位置にあるときは、可動カバー１１の前方カバー部１１ｄにより被検者の前方部が覆われ、被検者の前方部からの外部光が遮光される。
【００１６】
なお、固定カバー１０と可動カバー１１からなる遮光カバー１２は、検者が止めネジ９を介して固定カバー１０を支持枠６ａの上部に対して着脱することにより、任意に装着可能である。
【００１７】
以上のような構成の眼科装置により所定の眼科測定（フレア測定）を行う際には、被検者は、あごをあご台７に載せさせ、額を額当て８に当てて着座する。一方、検者は可動カバー１１を図１及び図３に示す下方に閉じた第１の位置に回動させる。可動カバー１１は、光学系本体部２の上部を覆うようになり、固定カバー１０の上部１０ｃと可動カバー１１の上部１１ｃにより上部からの外部光が遮光され、固定カバー１０の側部１０ａ、１０ｂ、可動カバー１１の側部１１ａ、１１ｂにより左右両側からの外部光が遮光され、また可動カバー１１の前方カバー部１１ｄにより被検者前方部からの外部光が遮光される。一方、被検者自身の頭部によって上部、後部あるいは底部からの外部光が遮光されるので、被検者の眼部の周囲の空間は、ほぼ暗室状態となる。したがって、周囲からの外部光が光学系に入射するのをほぼ遮断することができ、信頼性のある眼科測定を行うことができる。これにより、本来は暗室で使用する眼科装置を明室で使用できるので、眼科装置の操作性が向上するとともに、外部光の混入がなく信頼性のある眼科測定をすることができる。
【００１８】
また、検者は、必要に応じて可動カバー１１を図２及び図４に示すような上方の位置に回動させることができる。このとき、図２に示したように、可動カバー１１の前方カバー部１１ｄが上方に移動して持ち上がるので、被検者の前方部の覆いが解かれ、検者は、固定カバー１０の切り欠け部１０ｄを通して被検者の顔、特に眼部を観察できるようになる。被検者前方部の覆いがなくなることにより、前方部の遮光性は、若干悪くはなるものの、測定前に必要な調整（例えば光学系本体部２と被検眼の位置合わせなど）に必要とされる遮光状態は保たれるので、その遮光状態を確保しながら被検者の状態を確認しながら調整を行う。そして、測定直前に再度可動カバー１１を第１の位置に戻して測定を行うことにより、調整が行い易くかつ信頼性のある眼科測定ができる。
【００１９】
なお本明細書中で述べられている第２の位置は一箇所である必要はなく、可動カバー１１は複数の位置あるいは連続した位置へ回動して係止させられるようにして、検者の判断で遮光状態を調整できるよう任意の位置で可動カバーを係止できるようにすることが望ましい。
【００２０】
また、可動カバーは本実施例に示したような回動式に限らず、可動カバーをスライドさせて移動させる方式なども考えられる。
【００２１】
また、固定カバー１０と支持枠６ａとの脱着機構は、止めネジのみならず、磁石やローラーキャッチのようなものでもよい。
【実施例２】
【００２２】
図５は、眼科装置の他の実施例を説明する外観斜視図である。図５において実施例１の図１〜図４中と共通ないし対応する部分には共通の符号を付してあり、共通部分の説明は省略する。
【００２３】
図５に示す眼科装置では、可動カバー１１を図示した下方に閉じた第１の位置に回動させた状態で、固定カバー１０と可動カバー１１の上面がほぼ均一な平面になる形状になっている。
【００２４】
この固定カバー１０と可動カバー１１の上面の上に、紙で形成した暗幕１３が複数枚重ねて載置され、固定カバー１０の上面に設けられたリング状の取り付け部材１４に取り付けられる。
【００２５】
複数枚重ねて取り付けられた暗幕１３は、一点鎖線で示すように上から１枚ずつ取り上げて、被検者の頭部の上側から後頭部に垂れ掛けて遮光に使用することができる。この暗幕１３の使用により、実施例１の場合より遮光性が更に向上する。
【００２６】
また、暗幕１３は、紙であるので、使用後は破り取って容易に除去することができる。すなわち、被検者が変わるごとに、使用した暗幕１３を破り取って、１枚ずつ新しい清潔な暗幕１３を使用することができ、衛生的である。
【００２７】
なお、遮光カバーの上面の面積が小さく、暗幕１３を広げた状態では、収納できない場合には、折り畳んで遮光カバー上に重ねて取り付けておき、使用時に広げて使用する。
【００２８】
また、暗幕１３は、紙に限らず、布やプラスチックフィルムなど他の材料から形成したものを用いてもよいことは勿論である。
【図面の簡単な説明】
【００２９】
【図１】本発明の実施例１の眼科装置において遮光カバーを構成する可動カバーを閉じた状態の外観を示す斜視図である。
【図２】同眼科装置において可動カバーを開いた状態の外観を示す斜視図である。
【図３】同眼科装置において可動カバーを閉じた状態を示す側面図である。
【図４】同眼科装置において可動カバーを開いた状態を示す側面図である。
【図５】実施例２の眼科装置において、遮光カバー上に複数枚の暗幕を重ねて取り付けた状態の外観を示す斜視図である。
【符号の説明】
【００３０】
１  ベース
２  光学系本体部
３  操作レバー
４  操作ボタン
５  モニター
６  支持部材
６ａ  支持枠
７  あご台
８  額当て
９  止めネジ
１０  固定カバー
１１  可動カバー
１２  遮光カバー
１３  暗幕
１４  取り付け部材
【図１】
2007082732.tif 000003
【図２】
2007082732.tif 000004
【図３】
2007082732.tif 000005
【図４】
2007082732.tif 000006
【図５】
2007082732.tif 000007